(57)【特許請求の範囲】
【請求項１】
硬質表面洗浄組成物であって、
（ｉ）前記組成物の総質量に基づき、
ａ）式（Ｉ）
【化１】
0004673064.tif 000024
（式中、
Ｒ1 は水素原子又はメチル基を表し、
Ｒ2 は水素原子又は炭素原子数１ないし４のアルキル基を表し、
Ｒ3 は炭素原子数１ないし４のアルキレン基を表し、
Ｒ4 、Ｒ5 及びＲ6 は、互いに独立して水素原子又は炭素原子数１ないし４のアルキル基を表し、
Ｘは−Ｏ−又は−ＮＨ−を表し、及び
ＹはＣｌ；Ｂｒ；Ｉ；硫酸水素塩又はメト硫酸塩を表す。）
で表される少なくとも１種のモノマー、
ｂ）及び／又は少なくとも１種の非イオン性モノマー、
ｃ）成分ａ）の質量の０ないし５０ｐｐｍの量の少なくとも１種の架橋剤及び
ｄ）所望により少なくとも１種の連鎖移動剤、
の重合から形成された、１０μｍより大きい粒径を有する少なくとも１種のポリマーであるが、但し、（ｉ）前記ポリマーがカチオン性ホモポリマーである場合、前記架橋剤の量は常に０ｐｐｍより多く及び５０ｐｐｍより少ないところのポリマー０．００５ないし１５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む硬質表面洗浄組成物。
【請求項２】
硬質表面洗浄組成物であって、
（ｉ）
ａ）式（Ｉａ）
【化２】
0004673064.tif 000025
（式中、
Ｒ1 は水素原子又はメチル基を表し、
Ｒ2 は水素原子又はメチル基を表し、
Ｒ3 は炭素原子数１又は２のアルキレン基を表し、及び
ＹはＣｌ；Ｂｒ又はＩを表す。）
で表される少なくとも１種のモノマー、
ｃ）０ないし５０ｐｐｍ（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤であるが、但し、（ｉ）前記ポリマーがホモポリマーである場合、前記架橋剤の量は常に０ｐｐｍより多く及び５０ｐｐｍより少ないところの架橋剤、ｄ）所望により、０ないし１０００ｐｐｍ（成分ａ）に基づく）の量の、メルカプタン；リンゴ酸、乳酸；ギ酸；イソプロパノール及び次亜リン酸塩から選択される少なくとも１種の連鎖移動剤
の重合から形成される少なくとも１種のホモポリマー及び／又はコポリマー、前記組成物の総質量に基づき、０．００５ないし１５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む請求項１記載の硬質表面洗浄組成物。
【請求項３】
硬質表面洗浄組成物であって、
（ｉ）
ｂ）式（ＩＩａ）
【化３】
0004673064.tif 000026
（式中、
Ｒ7 は水素原子又はメチル基を表し、
Ｒ8 は水素原子；メチル基又はエチル基を表す。）
で表される少なくとも１種のモノマー、
ｃ）０ないし５０ｐｐｍ（成分ｂ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｄ）所望により、（成分ｂ）に基づき）０ないし１０００ｐｐｍの量の、メルカプタン；リンゴ酸、乳酸；ギ酸；イソプロパノール及び次亜リン酸塩から選択される少なくとも１種の連鎖移動剤
の重合から形成される少なくとも１種のホモポリマー及び／又はコポリマー、前記組成物の総質量に基づき、０．００５ないし１５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む請求項１記載の硬質表面洗浄組成物。
【請求項４】
硬質表面洗浄組成物であって、
（ｉ）少なくとも１種のコポリマーであって、
ａ）前記コポリマーに基づき５０ないし９５質量％の式（Ｉａ）
【化４】
0004673064.tif 000027
（式中、
Ｒ1 は水素原子又はメチル基を表し、
Ｒ2 は水素原子又はメチル基を表し、
Ｒ3 は炭素原子数１又は２のアルキレン基を表し、及び
ＹはＣｌ；Ｂｒ又はＩを表す。）
で表される少なくとも１種のモノマー、並びに
ｂ）前記コポリマーに基づき５ないし５０質量％の式（ＩＩａ）
【化５】
0004673064.tif 000028
（式中、
Ｒ7 は水素原子又はメチル基を表し、
Ｒ8 は水素原子；メチル基又はエチル基を表す。）
で表される少なくとも１種のモノマー、
ｃ）０ないし５０ｐｐｍ（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、
ｄ）所望により、０ないし１０００ｐｐｍ（成分ａ）に基づく）の量の、メルカプタン；リンゴ酸、乳酸；ギ酸；イソプロパノール及び次亜リン酸塩から選択される少なくとも１種の連鎖移動剤
の重合から形成される少なくとも１種のコポリマー、前記組成物の総質量に基づき、０．００５ないし１５質量％、
（ｉｉ）少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）少なくとも１種のアルコール０ないし５０質量％、
（ｉｖ）洗浄組成物のための典型的な成分０ないし５０質量％、
（ｖ）少なくとも１種の酸０ないし５０質量％、及び
（ｖｉ）水道水又は脱イオン水１００質量％まで、
を含む請求項１記載の硬質表面洗浄組成物。
【発明の詳細な説明】
【技術分野】
【０００１】
本発明は、増粘剤としてのホモポリマー及び／又はコポリマーを含む水性組成物、並びに新規な酸性の水性洗浄配合物に関する。
【背景技術】
【０００２】
最適のレオロジー特性を達成するために、酸性の水性家庭用配合物中に増粘ポリマーを含有させることは標準的な手法である。種々の型のポリマーが、家庭用配合物の粘度を増加させる目的のために提案されている。
特許文献１は、水性ベース、繊維柔軟材及び分散性ポリマーからなる生地処理組成物に言及している。
特許文献２は、５０ないし６００ｐｐｍの架橋剤を有するカチオン性ホモポリマーを含む酸性組成物のための増粘剤を記載している。
【特許文献１】欧州特許出願公開第４５８５９９号明細書
【特許文献２】国際公開第９９／０６４５５号パンフレット
【発明の開示】
【発明が解決しようとする課題】
【０００３】
従来の水性組成物中に使用されるポリマーは該組成物の増粘化を達成するが、レオロジーの側面においてさらなる改良を提供することがいまだに必要である。このことは、前記組成物が、多くの異なった条件及び環境下において機能することが期待されている場合に特に重要である。
【課題を解決するための手段】
【０００４】
本発明は、
ａ）式（Ｉ）
【化１】
0004673064.tif 000002
（式中、
Ｒ1は水素原子又はメチル基を表し、
Ｒ2は水素原子又は炭素原子数１ないし４のアルキル基を表し、
Ｒ3は炭素原子数１ないし４のアルキレン基を表し、
Ｒ4、Ｒ5及びＲ6は、互いに独立して水素原子又は炭素原子数１ないし４のアルキル基を表し、
Ｘは−Ｏ−又は−ＮＨ−を表し、及び
ＹはＣｌ；Ｂｒ；Ｉ；硫酸水素塩又はメト硫酸塩を表す。）
で表される少なくとも１種のモノマー、
ｂ）及び／又は少なくとも１種の非イオン性モノマー、
ｃ）成分ａ）の質量の０ないし５０ｐｐｍの量の少なくとも１種の架橋剤及び
ｄ）所望により少なくとも１種の連鎖移動剤、
の重合から形成される、１０μｍより大きい粒径を有する少なくとも１種のポリマーを含む水性組成物であって、但し、（ｉ）前記ポリマーがカチオン性ホモポリマーである場合、前記架橋剤の量は常に０ｐｐｍより多く及び５０ｐｐｍより少ないところの水性組成物
に関する。
【発明を実施するための最良の形態】
【０００５】
使用されたポリマーは、固体又は液体形態で水性組成物中に添加され得る。
固体形態は、
（ｉ）粉体、又は
（ｉｉ）粉立ちのない粒子であるビーズ
にさらに分類され得る。
ポリマーが固体形態で組成物に添加される場合、ビーズ形態が好ましい。
【０００６】
好ましくは、水性組成物は、ｐＨ値＜７を有する。より好ましくは、ｐＨ値＜５である。
【０００７】
好ましくは、水性組成物は、酸性の家庭用配合物である。より好ましくは、水性配合物は、硬質表面のための酸性の汎用洗浄剤である。
【０００８】
ポリマーは、１０μｍより大きく及び１０００μｍまでの、好ましくは５０μｍより大きく、とりわけ好ましくは１００μｍないし１０００μｍまでの容積平均寸法を有する粒子の形態で組成物に添加される。粒径は、既知の方法により、すなわちレーザー回折を用いて決定され得る。
【０００９】
本発明の好ましい態様において、ポリマーは、架橋剤の量が常に０ｐｐｍより多く及び５０ｐｐｍ未満であるところのカチオン性ホモポリマーである。
本発明の他の好ましい態様では、ポリマーは非イオン性ホモポリマーである。
【００１０】
本発明の他の好ましい態様において、成分ａ）は、少なくとも１種のカチオン性モノマー１０ないし１００質量％及び少なくとも１種の非イオン性モノマー０ないし９０質量％を含む。
【００１１】
本発明のより好ましい態様において、成分ａ）は、少なくとも１種のカチオン性３０ないし１００質量％及び少なくとも１種の非イオン性モノマー０ないし７０質量％を含む。本発明のよりさらに好ましい態様において、成分ａ）は、少なくとも１種のカチオン性モノマー４０ないし１００質量％及び少なくとも１種の非イオン性モノマー０ないし６０質量％を含む。
本発明のとりわけ好ましい態様において、成分ａ）は、少なくとも１種のカチオン性モノマー５０ないし９５質量％及び少なくとも１種の非イオン性モノマー５ないし５０質量％を含む。
質量パーセンテージはポリマーの総質量に対する。
【００１２】
好ましいカチオン性モノマーは、式（Ｉ）
【化２】
0004673064.tif 000003
（式中、
Ｒ1は水素原子又はメチル基を表し、
Ｒ2は水素原子又は炭素原子数１ないし４のアルキル基を表し、
Ｒ3は炭素原子数１ないし４のアルキレン基を表し、
Ｒ4、Ｒ5及びＲ6は、互いに独立して水素原子又は炭素原子数１ないし４のアルキル基を表し、
Ｘは−Ｏ−又は−ＮＨ−を表し、及び
ＹはＣｌ；Ｂｒ；Ｉ；硫酸水素塩又はメト硫酸塩を表す。）
で表される化合物である。
アルキル基は直鎖状であるか又は枝分れ状であり得る。アルキル基はメチル基、エチル基、プロピル基、ブチル基及びイソプロピル基である。
【００１３】
好ましい非イオン性モノマーはＮ−ビニルピロリドン又は式（ＩＩ）
【化３】
0004673064.tif 000004
（式中、
Ｒ7は水素原子又はメチル基を表し、
Ｒ8は水素原子又は炭素原子数１ないし４のアルキル基を表し、及び
Ｒ9及びＲ10は互いに独立して水素原子又は炭素原子数１ないし４のアルキル基を表す。）
で表される化合物である。
【００１４】
好ましくは、架橋剤ｂ）は、少なくとも２種のエチレン性不飽和部分を含む。適切な好ましい架橋剤は、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリアリルサッカロース及びペンタエリトリトールトリアリルエーテルのようなポリオールポリアリルエーテルを含む。
より好ましい架橋剤は、テトラアリルアンモニウムクロリド；アリル−アクリルアミド及びアリル−メタクリルアミド；ビスアクリルアミド酢酸及びＮ，Ｎ’−メチレン−ビスアクリルアミドである。
最も好ましい架橋剤は、テトラアリルアンモニウムクロリド及びＮ，Ｎ’−メチレン−ビスアクリルアミドである。
架橋剤の混合物を使用することもまた適する。
カチオン性ホモポリマーは常に、少なくとも１種の架橋剤ｂ）により架橋される。好ましくは、架橋剤（群）は０．５ないし４９ｐｐｍ（成分ａ）に基づく）の範囲で存在する。
【００１５】
好ましくは、連鎖移動剤ｃ）は、メルカプタン；リンゴ酸、乳酸；ギ酸；イソプロパノール及び次亜リン酸塩から選択される。
本発明の好ましい態様において、連鎖移動剤ｃ）は、０ないし１０００ｐｐｍ、より好ましくは０ないし５００ｐｐｍ、最も好ましくは０ないし３００ｐｐｍ（成分ａ）に基づく）の範囲で存在する。
連鎖移動剤の混合物を使用することがまた適する。
【００１６】
本発明の好ましい態様において、水性組成物は、１０μｍより大きい寸法を有するポリマーを０．００５ないし１５質量％、より好ましくは０．０１ないし１０質量％、最も好
ましくは０．０１ないし５質量％含む。質量パーセンテージは水性配合物の総量に対する。
【００１７】
本発明の好ましい態様において、水性組成物、好ましくは酸性の水性組成物は、
ａ）式（Ｉａ）
【化４】
0004673064.tif 000005
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー、及び
ｂ）０ないし５０ｐｐｍの量（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｃ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のコポリマー及び／又はホモポリマーを含むが、但し、（ｉ）前記ポリマーがホモポリマーである場合、前記架橋剤（群）の量は常に０ｐｐｍより多く及び５０ｐｐｍより少ない。
【００１８】
本発明の他の好ましい態様において、水性組成物、好ましくは酸性の水性組成物は、
ａ）式（ＩＩａ）
【化５】
0004673064.tif 000006
（式中、
Ｒ7は水素原子又はメチル基を表し、及び
Ｒ8は水素原子；メチル基又はエチル基を表す。）
で表される少なくとも１種のモノマー、及び
ｂ）０ないし５０ｐｐｍの量（成分ａ）に基づく）の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢
酸；Ｎ，Ｎ’−メチレン−ビスアクリルアミド及びポリオールポリアリルエーテルから選択される少なくとも１種の架橋剤、及び
ｃ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のコポリマー及び／又はホモポリマーを含む。
【００１９】
本発明のより好ましい態様において、水性組成物、好ましくは酸性の水性組成物は、
ａ）式（Ｉａ）
【化６】
0004673064.tif 000007
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー、及び
ｂ）式（ＩＩａ）
【化７】
0004673064.tif 000008
（式中、
Ｒ7は水素原子又はメチル基を表し、及び
Ｒ8は水素原子；メチル基又はエチル基を表す。）
で表される少なくとも１種のモノマー、
ｃ）０ないし５０ｐｐｍ（成分ａ）に基づく）の量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｄ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のコポリマーを含む。
【００２０】
本発明のとりわけ好ましい態様において、水性組成物、好ましくは酸性の水性組成物は、
ａ）式（Ｉａ）
【化８】
0004673064.tif 000009
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー、及び
ｂ）式（ＩＩａ）
【化９】
0004673064.tif 000010
（式中、
Ｒ7は水素原子又はメチル基を表し、及び
Ｒ8は水素原子；メチル基又はエチル基を表す。）
で表される少なくとも１種のモノマー、
ｃ）０ないし５０ｐｐｍ（成分ａ）に基づく）の量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｄ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のコポリマーを、前記組成物の総質量に基づき、０．００５ないし１５質量％、好ましくは０．０１ないし１０質量％、より好ましくは０．０１ないし５質量％含む。
【００２１】
本発明の重要な態様において、水性組成物、好ましくは酸性の水性組成物は、少なくとも１種のコポリマーであって、
ａ）前記コポリマーの総量に基づき、式（Ｉａ）
【化１０】
0004673064.tif 000011
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表される少なくとも１種のモノマー４０ないし９５質量％、好ましくは５０ないし９５質量％、及び
ｂ）前記コポリマーの総量に基づき、式（ＩＩａ）
【化１１】
0004673064.tif 000012
（式中、
Ｒ7は水素原子又はメチル基を表し、及び
Ｒ8は水素原子；メチル基又はエチル基を表す。）
で表される少なくとも１種のモノマー５ないし６０質量％、好ましくは５ないし５０質量％、
ｃ）（成分ａ）に基づき）０ないし５０ｐｐｍの量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｄ）所望により、（成分ａ）に基づき）０ないし１０００ｐｐｍ、好ましくは０ないし５００ｐｐｍ、より好ましくは０ないし３００ｐｐｍの量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のコポリマーを、前記組成物の総質量に基づき、０．００５ないし１５質量％、好ましくは０．０１ないし１０質量％、より好ましくは０．０１ないし５質量％含む。
【００２２】
水性組成物は、酸性の家庭用組成物として有益である。酸性の家庭用組成物は、硬質表面を洗浄するための汎用洗浄剤、酸性の家庭用洗浄剤（浴室）及びＷＣ洗浄剤のような、いかなる一般的に既知の配合物でもあり得る。
水性配合物は、セラミック、ガラス繊維、ポリウレタン及びプラスチック表面のような多数の異なる表面型に使用され得る。
本発明の好ましい態様は、透明である酸性の水性組成物に関する。
【００２３】
家庭用洗浄剤は、以下の成分：
−アニオン性、非イオン性、両性及び／又はカチオン性界面活性剤、
−ヤシ油及び牛脂のような動物油脂及び植物油脂のけん化により調製されるセッケン、
−塩酸、リン酸、クエン酸、酢酸又は硫酸のような有機酸、
−塩基性製品のための無機塩基（ＮａＯＨ又はＫＯＨ）又はトリエタノールアミンのような有機塩基、
−シリカ、種子核、ポリエチレン又は炭酸カルシウムのような、表面の改善された洗浄性のための研磨剤、
−表面の維持及び保護のためのワックス及び／又はシリコン、
−ポリリン酸塩、
−ハイポ亜塩素酸塩又はハロゲンを除去する物質；
−ＴＡＥＤのような漂白活性剤を含むパーオキシド、例えば過ホウ酸ナトリウム、Ｈ2Ｏ2又はハイポ亜塩素酸塩；
−酵素；
−ワックスに基づいた洗浄剤は、ベンジン、ターペンタイン及び／又はパラフィン並びにワックスに基づいた乳化剤より選択される溶媒を含み得る；
−シリケート、トリポリリン酸ナトリウム又はトリポリリン酸カリウムのようなポリリン酸塩、粉体状洗浄剤のためのゼオライトのような、充填材；
−顔料、レーキ又は溶解性染料；
−香料；及び
−光安定剤、抗酸化剤、抗菌剤、ＵＶ−吸収剤及びキレート剤
の１種又はそれ以上の水性であるか又はアルコール性（例えばエタノール又はイソプロピルアルコール）溶液である。
実際の有効成分及び実際の最低有効量は、増粘された組成物が使用されるべき実際の製品／用途により決定される。
【００２４】
本発明の他の態様は、硬質表面洗浄組成物であって、
（ｉ）前記組成物の総質量に基づき、上に定義されたとおりの少なくとも１種のポリマー０．００５ないし１５質量％、好ましくは０．０１ないし１０質量％、より好ましくは０．０１ないし５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む硬質表面洗浄組成物である。
水性酸性組成物のｐＨ値は＜７、好ましくは＜５である。
【００２５】
より好ましい硬質表面洗浄組成物は、
（ｉ）少なくとも１種のホモポリマー及び／又はコポリマーであって、
ａ）少なくとも１種の式（Ｉａ）
【化１２】
0004673064.tif 000013
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表されるモノマー、
ｂ）０ないし５０ｐｐｍ（成分ａ）に基づく）の量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤であるが、但し、（ｉ）前記ポリマーがホモポリマーである場合、前記架橋剤の量は大抵０ｐｐｍより多く及び５０ｐｐｍより少ないところの架橋剤、及び
ｃ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のホモポリマー及び／又はコポリマー、前記組成物の総質量に基づき、０．００５ないし１５質量％、好ましくは０．０１ないし１０質量％、より好ましくは０．０１ないし５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む。
【００２６】
他の好ましい硬質表面洗浄組成物は、
（ｉ）少なくとも１種のホモポリマー及び／又はコポリマーであって、
ａ）少なくとも１種の式（Ｉａ）
【化１３】
0004673064.tif 000014
（式中、
Ｒ7は水素原子又はメチル基を表し、
Ｒ8は水素原子；メチル基又はエチル基を表す。）
で表されるモノマー、
ｂ）０ないし５０ｐｐｍ（成分ａ）に基づく）の量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｃ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のホモポリマー及び／又はコポリマーを、前記組成物の総質量に基づき、０．００５ないし１５質量％、好ましくは０．０１ないし１０質量％、より好ましくは０．０１ないし５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む。
【００２７】
より好ましい硬質表面洗浄組成物は、
（ｉ）少なくとも１種のコポリマーであって、
ａ）前記コポリマーに基づき５０ないし９５質量％の、少なくとも１種の式（Ｉａ）
【化１４】
0004673064.tif 000015
（式中、
Ｒ1は水素原子又はメチル基を表し、
Ｒ2は水素原子又はメチル基を表し、
Ｒ3は炭素原子数１又は２のアルキレン基を表し、及び
ＹはＣｌ；Ｂｒ又はＩを表す。）
で表されるモノマー、
ｂ）前記コポリマーに基づき５ないし５０質量％の少なくとも１種の式（ＩＩａ）
【化１５】
0004673064.tif 000016
（式中、
Ｒ7は水素原子又はメチル基を表し、
Ｒ8は水素原子；メチル基又はエチル基を表す。）
で表されるモノマー、
ｃ）０ないし５０ｐｐｍ（成分ａ）に基づく）の量の、ジビニルベンゼン；テトラアリルアンモニウムクロリド；アリルアクリレート及びアリルメタクリレート；グリコール及びポリグリコールのジアクリレート及びジメタクリレート；ブタジエン；１，７−オクタジエン；アリル−アクリルアミド及びアリル−メタクリルアミド；ビスアクリルアミド酢酸；Ｎ，Ｎ’−メチレン−ビスアクリルアミド及びポリオールポリアリルエーテルから選択される少なくとも１種の架橋剤、及び
ｄ）所望により、０ないし１０００ｐｐｍ、好ましくは０ないし５００ｐｐｍ、より好ましくは０ないし３００ｐｐｍ（成分ａ）に基づく）の量の、メルカプタン；リンゴ酸；乳酸；ギ酸；イソプロパノール及び次亜リン酸塩から選択される少なくとも１種の連鎖移動剤、
の重合から形成される、１０μｍより大きく、好ましくは５０μｍより大きく、より好ましくは１００μｍより大きく及び１０００ｐｐｍまでの粒径を有する少なくとも１種のコポリマーを、前記組成物の総質量に基づき、０．００５ないし１５質量％、好ましくは０．０１ないし１０質量％、より好ましくは０．０１ないし５質量％、
（ｉｉ）前記組成物の総質量に基づき、少なくとも１種の界面活性剤及び／又は少なくとも１種のセッケン及び／又は少なくとも１種の炭素原子数８ないし２２の飽和脂肪酸及び／又は少なくとも１種の炭素原子数８ないし２２の不飽和脂肪酸の塩１ないし８０質量％、
（ｉｉｉ）前記組成物の総質量に基づき、少なくとも１種のアルコール０ないし５０質量％、
（ｉｖ）前記組成物の総質量に基づき、洗浄組成物のための典型的な成分０ないし５０質量％、
（ｖ）前記組成物の総質量に基づき、少なくとも１種の酸０ないし５０質量％、及び
（ｖｉ）１００質量％までの水道水又は脱イオン水、
を含む。
【００２８】
成分（ｉｉ）として、アニオン性、非イオン性、又は双性イオン性及び両性合成界面活性剤が適する。
適するアニオン性界面活性剤は、
−硫酸塩、例えば脂肪族アルコール硫酸塩（そのアルキル鎖は８ないし１８個の炭素原子を有する。）、例えばラウリルアルコール硫酸塩；
−脂肪族アルコールエーテル硫酸塩、例えばエチレンオキシド２ないし３０モルと炭素原子数８ないし２２の脂肪酸１モルの重付加生成物の酸エステル又はそれらの塩；
−セッケンとして言及される、炭素原子数８ないし２０の脂肪酸のアルカリ金属、アン
モニウム又はアミン塩、例えばヤシ油脂肪酸；
−アルキルアミド硫酸塩；
−アルキルアミン硫酸塩、例えばモノエタノールアミンラウリル硫酸塩；
−アルキルアミドエーテル硫酸塩；
−アルキルアリールポリエーテル硫酸塩；
−モノグリセリド硫酸塩；
−アルカン硫酸塩（そのアルキル鎖は８ないし２０個の炭素原子を有する。）、例えばドデシル硫酸塩；
−アルキルアミド硫酸塩；
−アルキルアリール硫酸塩；
−α−オレフィン硫酸塩
−スルホコハク酸誘導体、例えばアルキルスルホコハク酸塩、アルキルエーテルスルホコハク酸塩又はアルキルスルホスクシンアミド誘導体；式
【化１６】
0004673064.tif 000017
（式中、
Ｘは、水素原子、炭素原子数１ないし４のアルキル基又は−ＣＯＯ-Ｍ+を表し、
Ｙは、水素原子又は炭素原子数１ないし４のアルキル基を表し、
Ｚは、
【化１７】
0004673064.tif 000018
を表し、
ｍ1は１ないし５であり、
ｎは６ないし１８の整数であり、及び
Ｍは、アルカリ金属カチオン又はアミンカチオンを表す。）
で表されるＮ−［アルキルアミドアルキル］アミノ酸；
−式ＣＨ3−Ｘ−Ｙ−Ａ
（式中、
Ｘは、式−（ＣＨ2）5-19−Ｏ−、
【化１８】
0004673064.tif 000019
又は
【化１９】
0004673064.tif 000020
で表される基を表し、
Ｒは、水素原子又は炭素原子数１ないし４のアルキル基を表し、
Ｙは、−（ＣＨＣＨＯ）1-50-を表し、
Ａは、（ＣＨ2）ｍ2-1−ＣＯＯ−Ｍ+を表し、
ｍ2は１ないし６であり、及び
Ｍは、アルカリ金属カチオン又はアミンカチオンを表す。）
で表されるアルキル及びアルキルアリールエーテル炭酸塩
である。
【００２９】
アニオン性界面活性剤としてまた使用されるのは、脂肪酸メチルタウライド、アルキルイソチオネート、脂肪酸ポリペプチド縮合生成物及び脂肪族アルコールリン酸エステルである。それら化合物中に存在するアルキル基は、好ましくは炭素原子数８ないし２４である。
アニオン性界面活性剤は一般的に、アルカリ金属、アンモニウム又はアミン塩のようなそれらの水溶性塩の形態にある。そのような塩の例は、リチウム、ナトリウム、カリウム、アンモニウム、トリエチルアミン、エタノールアミン、ジエタノールアミン及びトリエタノールアミン塩を含む。Ｒ4、Ｒ5及びＲ6が各々互いに独立して、水素原子、炭素原子数１ないし４のアルキル基又は炭素原子数１ないし４のヒドロキシアルキル基を表すところの、ナトリウム、カリウム又はアンモニウム（ＮＲ4Ｒ5Ｒ6）塩が、とりわけ使用される。
本発明にしたがった組成物中のとりわけ好ましいアニオン性界面活性剤は、モノエタノールアミンラウリル硫酸塩又は脂肪族アルコール硫酸塩のアルカリ金属塩、とりわけラウリル硫酸ナトリウム及び２ないし４モルのエチレンオキシドとラウリルエーテル硫酸ナトリウムからの反応生成物である。
【００３０】
双性イオン性界面活性剤は、広い範囲のｐＨ値にわたって、分子にカチオン性及びアニオン性親水性基の双方を与える分子内塩を形成する塩基性基及び酸性基の双方を含む。これら界面活性剤の幾つかの一般例は、参照文献として本願に組込まれる米国特許第２０８２２７５号明細書、第２７０２２７９号明細書及び２２５５０８２号明細書に記載されている。適する双性イオン性界面活性剤は、式
【化２０】
0004673064.tif 000021
（式中、
Ｒ7は、炭素原子数およそ８ないしおよそ２２を含むアルキル基を表し、
Ｒ8及びＲ9は、互いに独立して炭素原子数１ないしおよそ３のアルキル基を表し、
Ｒ10は、炭素原子数１ないしおよそ３のアルキレン鎖を表し、
Ｘは、水素原子及びヒドロキシル基からなる群より選択され、
Ｙは、カルボキシル基及びスルホニル基からなる群より選択され、及び
式中、
Ｒ7、Ｒ8及びＲ9基の合計は、炭素原子数およそ１４ないしおよそ２４である。）
を有する。
系のｐＨに依りカチオン性又はアニオン性のどちらかであり得る両性（ａｍｐｈｏｔｅｒｉｃ）及び両性（ａｍｐｈｏｌｙｔｉｃ）界面活性剤は、ドデシル−β−アラニン、米国特許第２６５８０７２号明細書の教示にしたがってドデシルアミンとナトリウムイソチオネートとの反応により調製されるもののようなＮ−アルキルタウリン、米国特許第２４３８０９１号明細書の教示にしたがって製造されるもののようなＮ−高級アルキルアスパラギン酸、及び商標名“ミラノール（Ｍｉｒａｎｏｌ）（登録商標）”の下で販売され、そして米国特許第２５２８３７８号明細書に記載される製品のような界面活性剤により代表され、前記特許文献は参照文献として本願に組込まれる。
【００３１】
他の適する双性及び両性界面活性剤は、炭素原子数８ないし１８のベタイン、炭素原子数８ないし１８のスルホベタイン、炭素原子数８ないし２４のアルキルアミノ−炭素原子数１ないし４のアルキレンベタイン、炭酸イミダゾリン、アルキル両性カルボキシカルボン酸、アルキル両性カルボン酸（例えば、ラウロ両性グリシネート）及びＮ−アルキル−β−アミノプロピオネート又はＮ−アルキル−β−イミノジプロピオネートを含み、好ましいのは、炭素原子数１０ないし２０のアルキルアミノ−炭素原子数１ないし４のアルキレンベタインであり、及びとりわけにはヤシ油脂肪酸アミドプロピルベタインが好ましい。
言及され得る非イオン性界面活性剤は、例えば、１０００ないし１５０００の分子量を有するプロピレンオキシド／エチレンオキシドの付加物の誘導体、脂肪族アルコールエトキシレート（１ないし５０ＥＯ）、アルキルフェノールポリグリコールエーテル（１ないし５０ＥＯ）、ポリグルコシド、エトキシ化炭化水素、脂肪酸グリコール部分エステル、例えばジエチレングリコールモノステアレート、脂肪酸アルカノールアミド及びジアルカノールアミド、脂肪酸アルカノールアミドエトキシレート及び脂肪族アミンオキシドを含む。非イオン性合成界面活性剤は、アルキレンオキシド基（本質的には親水性である）と、本質的には脂肪族又はアルキル芳香族であり得る有機疎水性化合物との縮合により生成される化合物として広く定義され得る化合物群を含む。いずれの特定の疎水性基と縮合される親水性基又はポリオキシアルキレン基の長さは、親水性元素と疎水性元素との間に望ましい平衡度合を有する水溶性化合物を得るために、たやすく調節され得る。
【００３２】
成分（ｉｉ）として、飽和の及び不飽和の炭素原子数８ないし２２の脂肪酸の塩（セッケン）が単独か或いは互いとの混合物の形態にて、又は成分（ｉｉ）として言及される他の界面活性剤との混合物の形態にてもまた使用され得る。そのような脂肪酸の例は、例えば、カプリル酸、ラウリン酸、ミリスチン酸、パルミチン酸、ステアリン酸、アラキン酸、ベヘン酸、カプロレイン酸、ドデセノン酸、テトラデセン酸、オクタデセン酸、オレイン酸、エイコセン酸及びエルカ酸、並びに例えばヤシ油脂肪酸のような、そのような酸の商業上の混合物を含む。そのような酸は塩の形態で存在し、カチオンとして、ナトリウム及びカリウムカチオンのようなアルカリ金属カチオン、亜鉛原子及びアルミニウム原子のような金属原子、及びアミン及びエトキシ化アミンのような十分なアルカリ性度の窒素含有の有機化合物が考慮される。そのような塩はまたその場でも調製され得る。
セッケンを製造するにおいて使用される脂肪酸は、例えば植物又は動物由来のグリセリド（例えば、パーム油、ヤシ油、ババス油、大豆油、ヒマシ油、牛脂、鯨脂、魚脂、牛脂グリース、ラード及びそれらの混合物）のような天然源から得られ得る。脂肪酸はまた、合成的に（例えば、原料油の酸化により又はフィッシャー−トロプシュ（Ｆｉｓｃｈｅｒ−Ｔｒｏｐｓｃｈ）法により）調製され得る。
アルカリ金属セッケンは、脂肪及びオイルの直接けん化により、又は別々の製造工程において調製される遊離の脂肪酸の中和により、製造され得る。特に有益なのは、ヤシ油及び牛脂由来の脂肪酸の混合物のナトリウム及びカリウム塩、すなわち、牛脂及びヤシ油ナトリウム及びカリウムセッケンである。
用語“牛脂”は、２．５％Ｃ14、２９％Ｃ16、２３％Ｃ18、２％パルミトレイン酸４１．５％オレイン酸及び３％リノール酸（挙げられた最初の３種の脂肪酸は飽和されている）のおよその炭素鎖長分布を典型的に有する脂肪酸混合物に関連して本願において使用される。種々の牛脂及びラード由来の脂肪酸のような、同様の分布を有する他の混合物もまた、用語牛脂内に含まれる。牛脂はまた、不飽和脂肪酸部分の一部又はすべてを飽和脂肪酸部分へと転換するために硬化され得る（すなわち水素化）。用語“ヤシ油”が本願において使用される場合、該用語“ヤシ油”は、およそ８％Ｃ8、７％Ｃ10、４８％Ｃ12、１７％Ｃ14、９％Ｃ16、２％Ｃ18、７％オレイン酸、及び２％リノール酸のおよその炭素鎖長分布を典型的に有する脂肪酸混合物に言及する（挙げられた最初の６種の脂肪酸は飽和されている）。パーム核油及び及びババス油のような同様の炭素鎖長分布を有する他の源が用語ヤシ油内に含まれる。
【００３３】
成分（ｉｉｉ）として、二価アルコール、とりわけエチレングリコール、１，２−又は１，３−プロパンジオール、１，３−、１，４−又は２，３−ブタンジオール、１，５−ペンタンジオール及び１，６−ヘキサンジオールのような、アルキレン部分において炭素原子数２ないし６の化合物が考慮される。
好ましいのは、１，２−プロパンジオール（プロピレングリコール）である。
好ましい一価アルコールは、エタノール、ｎ−プロパノール及びイソプロパノール及びそれらアルコールの混合物である。
【００３４】
成分（ｉｖ）として、増粘された水性組成物は、該組成物中に使用されると既知である慣用の成分をさらに含み得る。そのような成分は、香料；着色料；抗菌剤；プロテアーゼのような酵素；染料；キレート化剤；キサンタンガムのような他の粘度改善剤；顔料；溶剤；腐食防止剤；保存料；抗酸化剤；ヒドロトロープ剤；及びクエン酸及び酒石酸を含むカルボン酸界面活性剤のようなビルダーであり得る。
【００３５】
本発明の組成物において成分（ｖ）として使用される例示的な酸は、限定はされないが、クエン酸、硫酸、塩酸、リン酸、酢酸、ヒドロキシ酢酸、及びスルファミド酸を含む。
酸性水性組成物中で使用されるポリマーは、慣用の重合プロセスにより得られ得る。
好ましい重合プロセスは、ポリマー状安定剤の存在下、炭化水素溶媒中での一般的に既知の逆懸濁技術である。重合プロセスは酸化還元カップリング剤により開始される。乾燥したポリマーは、水と溶媒の共沸蒸留により回収される。
【実施例】
【００３６】
Ａ）カチオン性ポリマーの合成
本実施例は、適するカチオン性ポリマーの調製を説明する。
水溶性成分の‘水相’は、以下の成分：
アクリルアミド  ５１ｇ、
四級化ジメチルアミノエチルアクリレートメチルクロリド  １１８ｇ、
金属イオン封鎖剤  ０．１３ｇ、
臭素酸カリウム  ０．００４４ｇ、
２，２−アゾビス（２−アミジノプロパン）ジヒドロクロリド  ０．０６１２５ｇ
及び水
を一緒に混合することにより調製した。
連続した‘油相’は、以下の成分：
エックソル（Ｅｘｘｓｏｌ）（登録商標）Ｄ４０（脱芳香化された炭化水素溶媒）  ３００ｇ
ポリマー状安定剤  ２ｇ
を一緒に混合することにより調製した。
連続相を窒素ガスにより２０分間脱酸素した。その後、相を、ラシュトン（Ｒｕｓｈｔ
ｏｎ）タービン撹拌機を用いて４００ｒｐｍにて撹拌した。
モノマー溶液をその後、撹拌した連続相に添加し、そして３分間分散させた。懸濁液の温度を２５℃に調節した。懸濁は、溶媒Ｄ４０（１容積％溶液０．６５６ｍｌ）中の二酸化硫黄を添加することにより開始した。
発熱反応が完了した後、減圧下に懸濁液から水を共沸除去した。生じたポリマービーズの懸濁液を２５℃まで冷却し、濾過し、そして空気乾燥した。得られたポリマービーズの粒径はおよそ２４０μｍであった。寸法は、シムパテック（Ｓｙｍｐａｔｅｃ）ＨＥＬＯＳレーザー回折装置（シムパテック社（Ｓｙｍｐａｔｅｃ  ＧｍｂＨ），ドイツ国製）を用いて測定した。
【００３７】
実施例２ないし１５
実施例１の合成と同様に、以下のポリマーを合成した。
モノマー１（Ｍ１）＝ジメチルアミノエチルアクリレート
モノマー２（Ｍ２）＝アクリルアミド
架橋剤１（ＣＬ１）＝Ｎ，Ｎ’−メチレンビスアクリルアミド
連鎖移動剤１（ＣＴＡ１）＝次亜リン酸塩
【表１】
0004673064.tif 000022
実施例２ないし１５のコポリマーはおよそ２４０μｍの粒径を有していた。寸法は、シムパテックＨＥＬＯＳレーザー回折装置（シムパテック社，ドイツ国製）を用いて測定した。
【００３８】
Ｂ）トイレ洗浄剤の配合
８０質量％  脱イオン水
２．５質量％  ドバノール（Ｄｏｂａｎｏｌ）（登録商標）２５−７（アルコールエトキシレート）
２．５質量％  ドバノール（登録商標）２３−６．５（アルコールエトキシレート）
１５質量％  クエン酸
を含む組成物を、撹拌下に、アルコールエトキシレート及びクエン酸の双方を連続的に水に添加することにより調製した。
透明及び無色の液体は１．７のｐＨ値を有していた。
【００３９】
Ｃ）浴室洗浄剤の配合
８０質量％  脱イオン水
２質量％  デヒドール（Ｄｅｈｙｄｏｌ）（登録商標）０４（オクチルアルコールエトキシレート４ＥＯ）
８質量％  グルコポン（Ｇｌｕｃｏｐｏｎ）（登録商標）２１５ＣＳＵＰ（脂肪族アルコール炭素原子数８ないし１０のポリグリセリド）
５質量％  クエン酸
５質量％  酢酸
を含む組成物を、撹拌下にすべての成分を一緒に混合することにより調製した。
透明及び無色の液体は２．５のｐＨ値を有していた。
【００４０】
増粘剤の添加
カチオン性ポリマー（Ａの）を、室温及び撹拌下にて、配合物が均質となるまでゆっくりと双方の配合物に添加した。すべての配合物は透明であった。調製１日後、ブルックフィールド粘度（Ｂｒｏｏｋｆｉｅｌｄ  ｖｉｓｃｏｓｉｔｙ）を測定した。
【表２】
0004673064.tif 000023